(57)【要約】一実施形態において、ハウジング及び衣類に装置（１００、２００）を留めるためのクリップ（１０１、２０１）のような留め具を備える装置。ハウジング（１０２、２０２）は、少なくとも留め具の一部分が凹部内に嵌合するようになされるようにその中に形成される凹部（１０３、２０３）を有する。留め具は、留め具が装置（１００、２００）を外部の物体に留められることができるようにする第１の位置と、留め具がしまい込まれる第２の位置との間で、凹部（１０３、２０３）内を摺動可能に移動するようになされる。
2011509560.tif 000002
【特許請求の範囲】
【請求項１】
ハウジングであってその中に凹部が形成されるハウジング、及び
留め具、
を備えた装置であって、
少なくとも前記留め具の一部分が前記凹部内に嵌合するようになされ、
前記留め具は、前記留め具が前記装置を外部の物体に留められることができるようにする第１の位置と、前記留め具がしまい込まれる第２の位置との間で、前記凹部内を摺動可能に移動するようになされる、
装置。
【請求項２】
請求項１の装置であって、前記留め具は前記第１の位置と前記第２の位置との間を移動し、押し−押し方式を使用して前記第２の位置から前記第１の位置に移動するようになされる、装置。
【請求項３】
請求項１の装置であって、前記装置は携帯デバイスであって、前記留め具の位置を基にして前記携帯デバイスの１つ以上の機能を制御するようになされるスイッチを更に備えた装置。
【請求項４】
請求項３の装置であって、前記１つ以上の機能は電力を少なくとも前記携帯デバイスの一部分まで削減することを備える、装置。
【請求項５】
請求項３の装置であって、前記１つ以上の機能は前記携帯デバイスの始動、停止、又は着信音若しくは振動機能の変更を備える、装置。
【請求項６】
請求項３の装置であって、前記１つ以上の機能は、前記携帯デバイスの１つ以上のアンテナを作動可能又は作動不可能にすることを備える、装置。
【請求項７】
請求項３の装置であって、前記スイッチはホール効果センサである、装置。
【請求項８】
請求項３の装置であって、前記スイッチは、収納される位置又は突出する位置のいずれかからの前記留め具の距離を示す可変信号を提供する、装置。
【請求項９】
請求項８の装置であって、前記スイッチは前記留め具の動きの方向及び／又は速度を示す信号を提供する、装置。
【請求項１０】
請求項３の装置であって、前記１つ以上の機能は音声及び／又は動画再生モードを利用可能又は利用不可能にすることを備える、装置。
【請求項１１】
請求項３の装置であって、前記１つ以上の機能は前記留め具の所定の回数の連続した動きによって制御される、装置。
【請求項１２】
請求項３の装置であって、前記１つ以上の機能は、所定の位置に所定の時間の間、前記留め具を保持することによって制御される、装置。
【請求項１３】
請求項１の装置であって、前記留め具はクリップである、装置。
【請求項１４】
請求項１の装置であって、
前記留め具はタブ（例えば、タブ１０６）を有し、
前記凹部はスロット（例えば、スロット１０８）を有し、
前記スロットはその中に摺動可能にタブを受容するようになされる、
装置。
【請求項１５】
請求項１４の装置であって、
前記タブはタブ−ラッチ構成部品を有し、
前記スロットはスロット−ラッチ構成部品を有し、
前記タブ−ラッチ構成部品及び前記スロット−ラッチ構成部品は、前記留め具を前記第１の位置と前記第２の位置との間を移動可能にする押し−押し機構を一体となって形成する、
装置。
【請求項１６】
請求項１５の装置であって、前記押し−押し機構は、概ねハート形状の経路及び前記経路内に配置される従動子を備える、装置。
【請求項１７】
請求項１の装置であって、前記留め具全体は、しまい込まれる位置にある間、前記凹部内に嵌合するようになされる、装置。
【請求項１８】
請求項１の装置であって、前記凹部から離れる方向に前記留め具に付勢するようになされる付勢機構を更に備える装置。
【請求項１９】
請求項１の装置であって、前記留め具が前記ハウジングから完全に取り外されることを防止するようになされる止めを更に備える装置。
【発明の詳細な説明】
【技術分野】
【０００１】
本発明は可搬デバイスに関し、特に、可搬デバイスのハウジングに一体化できるポケットクリップに関する。
【背景技術】
【０００２】
携帯通信デバイスの使用の増加と共に、今、多くの人々が携帯電話、携帯情報端末（ＰＤＡ）、ハンドヘルドコンピュータ及びパームトップコンピュータ、電子メール及びウェブ機器、並びに他の通信情報処理及び／又は記憶装置のようなデバイス（集合的に「携帯デバイス」）を使用している。
【０００３】
携帯デバイスが使用中ではない場合、通常、使用者はポケット又はハンドバッグにデバイスを入れて、それを持ち運ぶ。使用者の中には、保管のためにベルト又はズボンのウエストラインにクリップで留める別個のホルスター又はスリーブ構成部品に携帯デバイスを取り付ける人がいる。携帯デバイスの中には、使用者が、彼又は彼女の衣類、ベルト又はハンドバッグに携帯デバイスを直接取り付けるか、又はクリップで留めることができるように携帯デバイスのハウジングの部分として、通常、デバイス背面上にクリップ又は他の留め具を含むものがある。
【０００４】
しかし、ハウジングから突出しているクリップ及び／又はホルスターに起因する携帯デバイスの胴回りの増大がデバイスの把持及び使用を面倒かつ不便にする場合がある。
【発明の概要】
【０００５】
従来技術の問題が、本発明の原理に従って、携帯デバイス等のための収納可能な一体化されるポケットクリップを提供することによって対処される。
【０００６】
一実施形態において、本発明はハウジング及び（衣類に装置を留めるためのクリップのような）留め具を備える装置を提供する。ハウジングは、少なくとも留め具の一部分が凹部内に嵌合するようになされるようにその中に形成される凹部を有する。留め具は、留め具が装置を外部の物体に留められることができるようにする第１の位置と、留め具がしまい込まれる第２の位置との間で、凹部内を摺動可能に移動するようになされる。
【０００７】
本発明の他の態様、特徴及び利点は、以下の詳細な説明、添付の請求項、及び同様な参照符号が類似又は同一の要素を識別する付随の図面から、更に充分に明らかになるであろう。
【図面の簡単な説明】
【０００８】
【図１】本発明の第１の実施形態に一致する収納可能な一体化されるポケットクリップを含む携帯デバイスの透視図であり、収納可能な一体化されるポケットクリップを受容及び係合するための、ハウジング内に形成されるスロットの輪郭を示す破線を伴う透視図である。
【図２】図１の収納可能な一体化されるポケットクリップの透視図である。
【図３】図１の収納可能な一体化されるポケットクリップの頂面図である。
【図４】図１のハウジング内のスロット、及び収納可能な一体化されるポケットクリップのタブを受容及び係合するための関連する構成部品の平面図である。
【図５】図１の収納可能な一体化されるポケットクリップ、及び図４のスロットの分解組立図である。
【図６】クリップが突出する位置からクリップが収納される位置に動かされるラッチ機構を例示する部分図である。
【図７】図６に類似であるが、クリップが収納される位置にあるラッチ機構を例示する部分図である。
【図８】図６及び図７に類似であるが、クリップが収納される位置からクリップが突出する位置に動かされるラッチ機構を例示する部分図である。
【図９】本発明の第２の実施形態に一致する収納可能な一体化されるポケットクリップを含む携帯デバイスの透視図であり、収納可能な一体化されるポケットクリップを受容及び係合するための、ハウジング内に形成されるスロットの輪郭を示す破線を伴う透視図である。
【図１０】図９の収納可能な一体化されるポケットクリップの透視図である。
【図１１】本発明の一実施形態に一致する例示的携帯電話のブロック図である。
【発明を実施するための形態】
【０００９】
ここで図１から図８、特に図１を参照すると、本発明の第１の実施形態に対応する収納可能な一体化されるポケットクリップ１０１（「クリップ」）を含む携帯デバイス１００が例示される。携帯デバイス１００は、クリップ１０１の細長い部分１０４の外面がハウジング１０２と同一平面をなすように、クリップ１０１を受容するようになされる凹部１０３が、その中に形成されるハウジング１０２を有する。クリップ１０１は細長い部分１０４の下端部にフック１０５、及び細長い部分１０４の上端部にタブ１０６を有する。凹部１０３の輪郭はクリップ１０１の輪郭に一致するように形成される。従って、ハウジング１０２内に破線に示されるように、凹部１０３の下端部がフック１０５を受容するためのフック域１０７として形成され、凹部１０３の上端部がタブ１０６を受容するためのスロット１０８として形成される。更に詳細に以下に説明されるように、スイッチ１０９が、携帯デバイス１００の１つ以上の機能を制御するためにスロット１０８内に位置付けられてもよい。
【００１０】
更に詳細に以下に説明されるように、タブ１０６はスロット１０８によって画定される開口域より充分により小さく、クリップ１０１はクリップ１０１がしまい込まれる位置、即ち、ハウジング１０２内に収納される位置と、クリップ１０１の使用が可能である位置、即ち、クリップ１０１がハウジング１０２から突出して、携帯デバイス１００が衣類又は他の外部の物体に留められることを可能にする位置との間を移動できるように、スロット１０８内に摺動可能に配置される。図５において矢印１１０によって例示されるように、タブ１０６とスロット１０８との間の相対的な並進運動がこれらの２つの位置の間でクリップ１０１を動かす。ラッチ機構はタブ１０６とスロット１０８との間で動作に関連づけられ、タブ１０６上のタブ−ラッチ構成部品１１１（図２、図３及び図５に最も良く見られる）、及びスロット１０８内に配置されるスロット−ラッチ構成部品１１２（図４から図８に最も良く見られる）を含む。図１はラッチ機構の如何なる部分も示さないが、図１は、クリップ１０１のタブ１０６を受容及び係合するためのスロット−ラッチ構成部品１１２、及び他の関連する構成部品（図４から図８に最も良く見られる）が位置付けられるスロット１０８を示す。
【００１１】
図２及び図３は細長い部分１０４、フック１０５及びタブ１０６を示す、それぞれクリップ１０１の透視図及び頂面図である。図示されるように、タブ１０６は（図５に示されるように）レール１１４と摺動可能な関係にタブ１０６を整列及び維持するために、その上に形成された平坦域１１３を有する。タブ−ラッチ構成部品１１１の詳細は、図２において充分に視認されないが、タブ−ラッチ構成部品１１１が細長い部分１０４に対して平坦域１１３から遠位に配置されることが分かる。タブ１０６がスロット１０８から完全に滑り出ることを防止するために平坦域１１３に隣接し、その対向する両側にある１対の突出１１５が、唇部１１６に係合するように位置付けられる（図４と図５に示される）。クリップ１０１が収納される位置にある場合、アンカブロック１１８（図４と図５に示される）との干渉を防止するためにタブ１０６内に１対の凹部１１７が形成される。
【００１２】
ここで図４を参照すると、スロット−ラッチ構成部品１１２はスロット１０８内に配置される実質的に固定された構成部品であることが分かる。スロット−ラッチ構成部品１１２の詳細は図５から図８に最も良く見られ、図５から図８の全てに同じ構成部品が存在するが、幾つかの部品の参照符号が図面の幾つかから明確化のために削除されている。スロット−ラッチ構成部品１１２は、その中に提供される単一の開口又は入口部１２１を除いては、実質的に囲まれた空間を画定する概ねハート形状の壁部１２０を含む。壁部１２０によって閉じ込められる領域内で、多少ハート形状のネスト１２２が提供される。壁部１２０は、ネスト１２２、特にその外面と一体に、それぞれ入口部１２１から、及びそこに向かって案内する進入軌道１２３と退出軌道１２４を画定する。方向変換部１２５が、進入軌道１２３及び退出軌道１２４を画定する壁部１２０の部分の間に提供される。更に詳細に以下に説明されるように、ラッチ止めとラッチ解除をもたらすために方向変換部１２５はネスト１２２に対して動作に位置される。
【００１３】
ネスト１２２は（図６から図８に最も良く見られるように）方向変換部１２５に面するノッチ１２６を画定する実質的固体である。ノッチ１２６は一体にノッチ１２６を形成する、より長い進入面１２７、及び多少より短い退出面１２８を有する。
【００１４】
方向変換部１２５は（図６から図８に最も良く見られるように）壁部１２０の内側周辺部上でノッチ１２６に向かって方向付けられる、その内側の頂点部即ち先端部を有する、壁部１２０の多少平坦化されたＭ形状区分である。方向変換部１２５は進入面１２９、ラッチ止め方向面１３０、ラッチ解除方向面１３１及び退出面１３２を含む。
【００１５】
ここで説明されるように、案内面１３３が、タブ−ラッチ構成部品１１１のスロット−ラッチ構成部品１１２内への滑らかな進入を確実にするために入口部１２１において提供される。
【００１６】
タブ−ラッチ構成部品１１１はタブ１０１の内側端部１３４において提供される。タブ−ラッチ構成部品１１１はタブ１０６に対して軸方向に実質的に固定されるが、軸方向を横切る方向に並進運動が可能な従動子１３６を含む。このように、従動子１３６はスロット１３９に含有され、それに沿って摺動可能なスレッド１３８上のピン１３７を含む。従動子１３６は、スロット１３９の１つの端部１４０からその対向する端部１４１までスロット１３９に沿って自由に移動可能である。
【００１７】
付勢機構１４２が端部１３５上に提供され、その両端部でアンカブロック１１８に固定される板バネ１４３を含む。板バネ１４３は、タブ１０６の内側端部１３４に係合するためにスロット−ラッチ構成部品１１２を越えて延在する。
【００１８】
ここで説明されるように、タブ−ラッチ構成部品１１１及びスロット−ラッチ構成部品１１２は、使用者がクリップ１０１の凹部１０３に向けた連続した押下によって、収納される位置と突出する位置の間でクリップ１０１を前後に動かすことができるようにする「押し−押し」機構を一体に形成する。
【００１９】
クリップ１０１をハウジング１０２に対して収納される位置に動かすと次のようになる。タブ１０６がスロット１０８へと滑らせられるとき、スレッド１３８がスロット端部１４０に実質的に隣接して位置される状態でピン１３７が入口部１２１に入るように、スロット１０８内にタブ１０６が位置される状態でスロット１３９の１つの端部１４０は入口部１２１と実質的に整列させられる。入口部１２１に隣接する案内面１３３が、スロット１０８の軸方向に対して角度を持って配置される。スレッド１３８が、スロット端部１４０から離れて、スロット端部１４１に向かって位置される場合、ピン１３７は案内面１３３に相対し、それに沿って摺動して、ピン１３７が入口部１２１に入るようにスロット端部１４０に向かって従動子１３６を動かす。そのため、従動子１３６の初期位置にかかわらず、タブ１０６がスロット１０８へと滑り込まされると、ピン１３７が入口部１２１に入り、進入軌道１２３に沿って動くだろう。この進入する位置が図６に例示される。
【００２０】
スロット１０８に対するタブ１０６の相対的な軸方向の更なる動きによって、ピン１３７は方向変換部１２５の進入面１２９に相対するまで進入軌道１２３に沿って進む。タブ１０６の軸方向内側向きの更に一層の動きによって、従動子１３６は進入面１２９に沿って摺動し、従って、スロット端部１４０から離すようにスレッド１３８を動かす。タブ１０６が充分に挿入された位置に達すると、内側端部１３４は板バネ１４３に相対して圧縮し、ピン１３７はラッチ止め方向面１３０に相対する。この位置において、クリップ１０１は凹部１０３内へ充分に挿入されるため、使用者は自然とクリップ１０１を解放し、タブ１０６上への軸方向の内側方向の圧力を停止するだろう。板バネ１４３が、タブ１０６を外側方向へ少し駆り立てて、ピン１３７をラッチ止め方向面１３０に沿って摺動させ、そこから外され、ノッチ１２６にネストさせる。ピン１３７がノッチ１２６に入ると、その中でピン１３７は、ノッチ１２６の進入面１２７によって、また、方向付けされ、従動子１３６をスロット端部１４１に向けて更に一層動かす。バネ１４３からの継続的な軸方向外側向きの付勢する力によって、ピン１３７がノッチ１２６にネストされた状態でタブ１０６はスロット１０８内にしっかりと保持される。タブ−ラッチ構成部品１１１及びスロット−ラッチ構成部品１１２のラッチ止めされたこの位置が図７に例示される。引張り等によるクリップ１０１に印加される外側向きの力がノッチ１２６からピン１３７を外すことはないだろう。
【００２１】
タブ−ラッチ構成部品１１１及びスロット−ラッチ構成部品１１２を相互から解放し、クリップ１０１を突出する位置に動かすためにクリップ１０１が僅かに内側向きに押される。ノッチ１２６内にネストされた位置から、ピン１３７が方向変換部１２５に向けて外側向きに動かされて、ノッチ１２６内にネストされたときの従動子１３６の僅かな横断方向の動きの結果として、ラッチ止め方向面１３０ではなくラッチ解除方向面１３１に相対する。従動子１３６はラッチ解除方向面１３１に沿って摺動して、軸方向を横断してスロット端部１４１に向かって更に一層動き、ピン１３７は退出面１３２に相対する。ほんの僅かな動きによって、タブ１０６が更にその中には進めない程に再びスロット１０８内に完全に挿入される。再び、使用者の自然な傾向はクリップ１０１上への更なる内側向きの圧力を解放し、停止することである。内側向きの圧力が解放されるとき、板バネ１４３が再びタブ１０６を外側向きに動かす。ピン１３７が退出面１３２に沿って動き、ピン１３７が退出軌道１２４に入る。この退出位置が図８に示される。バネ１４３からの力がクリップ１０１を凹部１２４から出し、突出する位置に動かす。示された実施形態において、クリップ１０１が突出する位置にある場合、ピン１３７は入口部１２１から退出し、それによって、クリップ１０１がハウジング１０２から完全に取り外されるようにできるであろう一方で、他の実施形態において、クリップ１０１がハウジング１０２から取り外れないように入口部１２１を除くことが可能である。
【００２２】
このように、携帯デバイス等のための押して収納、及び、押して突出型の収納可能な一体化されるポケットクリップが提供される。ラッチ構成部品１１１、１１２がタブ１０６及びスロット１０８の厚さに著しく寄与しないように軌道１２３及び１２４は比較的浅くてよく、ピン１３７は比較的短くてよい。
【００２３】
種々の部分と構成部品を入れ替えることができることは理解されるべきである。その簡易な形状において、上記に説明されたラッチ機構はタブ１０６上のタブ−ラッチ構成部品１１１、及びスロット１０８内のスロット−ラッチ構成部品を含む。上記に説明された第１の実施形態において、ラッチ構成部品の１つ、即ち、スロット１０８内のスロット−ラッチ構成部品１１１は軌道構成部品である。この実施形態において、他のラッチ構成部品、即ち、タブ１０６上のタブ−ラッチ構成部品１１１は軌道に対して移動可能な従動子１３６を含む。しかし、スロット１０８内に位置付けられる実質的に固定された構成部品、及びタブ１０６上に位置される軸方向を横断して並進運動可能なラッチ構成部品について、ラッチ構成部品を入れ替えることができることは理解されるべきである。他の変更と改良が更に可能である。
【００２４】
図９は本発明の第２の実施形態に一致する、収納可能な一体化されるポケットクリップ２０１を含む携帯デバイス２００の透視図である。携帯デバイス２００は、クリップ２０１の細長い部分２０４の外面がハウジング２０２と同一平面をなすように、クリップ２０１を受容するようになされる凹部２０３がその中に形成されるハウジング２０２を有する。クリップ２０１は、細長い部分２０４の下端部にフック２０５、及び細長い部分２０４の上端部にタブ２０６を有する。凹部２０３の輪郭はクリップ２０１の輪に一致するように形成される。従って、ハウジング２０２内に破線で示されるように、凹部２０３の下端部がフック２０５を受容するためのフック域２０７として形成され、凹部２０３の上端部がタブ２０６を受容するためのスロット２０８として形成される。
【００２５】
タブ２０６はスロット２０８によって画定される開口域より充分により小さく、クリップ２０１はクリップ２０１がハウジング２０２内に収納される位置と、クリップ２０１がハウジング２０２から突出する位置との間を移動できるようにスロット２０８内に摺動可能に配置される。第２の実施形態は、第２の実施形態にはラッチ止め機構又はバネがないこと、及び使用者がクリップ２０１を引き出すか、又は押し込むとき、クリップ２０１が前後に自由に摺動すること以外は、（図１から図８の）第１の実施形態に類似している。従って、第２の実施形態において、クリップ２０１が充分に引っ張り出された場合にハウジング２０２を外れてしまうことを防止するために止め２５０が提供される。
【００２６】
ここで図１に戻ると、本発明のある実施形態において、クリップが収納された位置か又は突出する位置にあるかを携帯デバイス１００に示すために、スロット１０８内又は他の場所にスイッチ１０９又は他の始動機構が提供できる。このような指標は携帯デバイス１００の１つ以上の機能を制御するために使用できる。例えば、クリップ１０１が収納される位置にあるときはいつでも、携帯デバイス１００は「スリープモード」、低消費電力状態、又は完全にパワーダウンした状態にすることができる。代替的に、スイッチ１０９からの指標は、携帯デバイスの他の機能を始動させるか、又は停止させるために使用できる。例えば、携帯デバイスが携帯電話である場合、スイッチ１０９からの指標は自動的に着信音モードを振動又は無音モードに変更するために使用できる。この機能は、例えば、使用者が講堂又は映画館に入る場合、電話が使用者の服にクリップで留められる位置から電話を取り外す場合、クリップが収納されるようにクリップを押下する場合、及び使用者のポケット内に電話を入れる場合に使用できる。
【００２７】
図１１を参照すると、プロセッサ３９０及び始動機構３０９を含む例示的携帯電話３００のブロック図が示される。この実施形態で、機械的スイッチの代替に、始動機構３０９は、出力信号を生成するために収納可能な一体化されるポケットクリップ（例えば図１から図８の要素１０１、図１１に図示せず）上に装着される１つ以上の永久磁石又は磁石アレイ（図１１に図示せず）と相互作用する携帯電話３００のハウジング（図１１に図示せず）内に装着されるホール効果センサである。２進信号（例えば、クリップが完全に収納された位置か又は完全に突出した位置かを示すためのシングルラインの割り込み（ｓｉｎｇｌｅ−ｌｉｎｅ  ｉｎｔｅｒｒｕｐｔ））、又は、代替的に、どの程度クリップが収納された／突出しているかを示す可変信号であり得るこの出力信号が、携帯電話３００の１つ以上の機能を制御するためにプロセッサ３９０に提供される。プロセッサ３９０は、信号を受信すると、限定されないが、音量若しくは着信音タイプの変更、又は出力低減を含む１つ以上の所定の機能を実行するようになされる。携帯電話３０９が複数の送受信アンテナを有する場合、他の可能な機能はアンテナ選択であってよい。このシナリオにおいて、クリップが延出し、携帯電話３０９が使用者のポケットの中に入れられる場合、他のアンテナでの受信が、使用者の体による信号の吸収のために減損されるだろう間、単一の外向きのアンテナが作動可能な唯一の送受信アンテナであるように、アンテナダイバシティは自動的に作動不可能にされる。始動機構３０９が可変出力信号を提供するようになされる実施形態において、このような信号は、プロセッサ３９０が種々の機能性をもたらすためにデコードし、使用するパルス符号変調方式（ＰＣＭ）信号であってよい。このような可変出力信号はまた、クリップの動きの方向及び／又は速度の追跡を可能にし、それは、クリップが２つの速い連続する押下によって「ダブルクリックされる」場合、又はクリップが押されてロックされる位置に解放されるまでのある一定時間の間、収納される位置に保持される場合、音声ファイル（例えば、ＭＰ３）及び／又は動画ファイル（例えば、ＭＰＧ、ＡＶＩ、ＷＭＶ、３ＧＰＰ）の再生モードを可能にするような種々の機能に対する実用性を有することができる。
【００２８】
始動機構３０９のためのホール効果センサの使用の代替に、プロセッサ３９０によって受信され、処理される信号を生成するために使用される機械的スイッチのアレイのような電気機械的手段によって代替的に可変出力信号が提供できる。
【００２９】
上記に説明されたハウジング及びクリップ構成部品は成形プラスチックから作製されることが望ましいが、他の材料も可能であり、ハウジング、クリップ及び他の関連した構成部品は種々の形状及び大きさに作製できる。ハウジングは、携帯デバイスのためのハウジングとしてここに概ね説明されるが、本発明の原理は、収納可能な一体化されるポケットクリップを含むことが望ましいであろう他の品目に均等に適用可能であることは理解されるべきである。このような品目は、例えば、メガネケース、ハンドバッグ、札入れ、名刺ホルダ、パスポートホルダ、名札ホルダ、写真付きＩＤホルダ、等を含んでよい。
【００３０】
上記に説明される実施形態において、収納可能なクリップは、収納される、即ち、しまい込まれる位置においてハウジングの平面と同一平面をなし、突出した、即ち、使用可能な位置においてハウジングから延出するように完全に凹部内に嵌合するが、クリップ部分がしまい込まれる位置にあるとき、決して完全に収納されることなく、又はしまい込まれる位置にないとき、完全に突出することなくクリップがハウジングに対して内側及び外側向きに移動する、他のクリップの構成が可能であることは理解されるべきである。例えば、クリップが収納可能であるハウジングの表面が非平面を有する一実施形態において、クリップの輪郭はハウジングの表面の輪郭と一致するように突出してよく、クリップが収納される、即ち、しまい込まれる位置にあるとき、クリップの一部分はハウジングから依然突出していてよい。代替的に、クリップはクリップの外面がハウジングの外面より下に沈められるしまい込まれる位置に収納可能である。
【００３１】
上記に説明された実施形態において使用される際、用語「クリップ」は、本発明の部分として使用できる留め具のタイプを制限すると解釈されるべきではなく、非限定的にボルト、バックル、ボタン、止め、止め金、ラッチ、ロック、リベット、ねじ、ジッパー、フック、竜頭、タイ、マジックテープ（登録商標）又はスナップ等のクリップ以外の、留め具が代替的に使用できることが熟慮される。
【００３２】
本発明の本質を説明するために、記述され、例示された部分の詳細、材料及び構成についての種々の変更が、以下の請求項に示される本発明の範囲を逸脱することなく当業者によってなされることは更に理解されるだろう。
【００３３】
請求項における図番及び／又は図参照符号の使用は、請求項の解釈を容易にするために、特許請求される対象物の１つ以上の可能な実施形態を識別することを意図される。このような使用は、これらの請求項の範囲を対応する図面に示される実施形態に必然的に制限するものと解釈されるものではない。
【００３４】
本明細書で「一実施形態（ｏｎｅ  ｅｍｂｏｄｉｍｅｎｔ）」又は「一実施形態（ａｎ  ｅｍｂｏｄｉｍｅｎｔ）」を参照することは、その実施形態に関連して説明される特定の機能、構造又は特徴が本発明の少なくとも一実施形態に含まれることを意味する。本明細書内の様々な箇所での語句「一実施形態において（ｉｎ  ｏｎｅ  ｅｍｂｏｄｉｍｅｎｔ）」の表現は、必ずしも全て同じ実施形態、又は必ずしも相互に他の実施形態に対して排他的な別個又は代替的な実施形態を参照するものではない。同じことが用語「実施（ｉｍｐｌｅｍｅｎｔａｔｉｏｎ）」に当てはまる。
【図１】
2011509560.tif 000003
【図２】
2011509560.tif 000004
【図３】
2011509560.tif 000005
【図４】
2011509560.tif 000006
【図５】
2011509560.tif 000007
【図６】
2011509560.tif 000008
【図７】
2011509560.tif 000009
【図８】
2011509560.tif 000010
【図９】
2011509560.tif 000011
【図１０】
2011509560.tif 000012
【図１１】
2011509560.tif 000013
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
ハウジングであってその中に凹部が形成されるハウジング、
留め具、及び
前記留め具の位置を基にして携帯デバイスの１つ以上の機能を制御するように構成されたスイッチ
を備えた装置であって、
少なくとも前記留め具の一部分が前記凹部内に嵌合するように構成され、
前記留め具は、前記留め具が前記携帯デバイスを外部の物体に留められることができるようにする第１の位置と、前記留め具がしまい込まれる第２の位置との間で、前記凹部内を摺動可能に移動するように構成された装置。
【請求項２】
請求項１の装置であって、前記１つ以上の機能は電力を少なくとも前記携帯デバイスの一部分まで削減することを備える、装置。
【請求項３】
請求項１の装置であって、前記１つ以上の機能は前記携帯デバイスの始動、停止、又は着信音若しくは振動機能の変更を備える、装置。
【請求項４】
請求項１の装置であって、前記１つ以上の機能は前記携帯デバイスの１つ以上のアンテナを作動可能又は作動不可能にすることを備える、装置。
【請求項５】
請求項１の装置であって、前記スイッチはホール効果センサである、装置。
【請求項６】
請求項１の装置であって、前記スイッチは、収納される位置又は突出する位置のいずれかからの前記留め具の距離を示す可変信号を提供する、装置。
【請求項７】
請求項１の装置であって、前記スイッチは前記留め具の動きの方向及び／又は速度を示す信号を提供する、装置。
【請求項８】
請求項１の装置であって、前記１つ以上の機能は音声及び／又は動画再生モードを利用可能又は利用不可能にすることを備える、装置。
【請求項９】
請求項１の装置であって、前記１つ以上の機能は前記留め具の所定の回数の連続した動きによって制御される、装置。
【請求項１０】
請求項１の装置であって、前記１つ以上の機能は、所定の位置に所定の時間の間、前記留め具を保持することによって制御される、装置。
【国際調査報告】
2011509560.tif 000014
2011509560.tif 000015
2011509560.tif 000016